(57)【要約】  無線周波数（ＲＦ）装置、ＲＦカードリーダ、関連する通信システムおよび通信方法が開示される。ＲＦ装置（１００）は、第１ＲＦトランシーバモジュール（１０１）、第１ＲＦアンテナ（１０２）、磁気誘導レシーバモジュール（１０４）を備える。ＲＦカードリーダ（２００）は、第２ＲＦトランシーバモジュール（２０１）、第２ＲＦアンテナ（２０２）、磁気照射モジュール（２０４）を備える。ＲＦ装置とＲＦカードとの間には、磁界を通じて距離を制御し、磁界と無線を通じてＩＤを認証し、無線を通じて情報通信するための、２つの異なる特性を有する２つのチャネルがある。【選択図】図４
2013513837.tif 000002
【特許請求の範囲】
【請求項１】
無線周波数（ＲＦ）装置であって、
少なくとも１つのＲＦトランシーバモジュール、
少なくとも１つのＲＦアンテナ、
磁界を検知し前記磁界の変化情報を検出することができる少なくとも１つの磁気誘導レシーバモジュール、
少なくとも１つのマイクロコントローラ、
を備え、
前記ＲＦトランシーバモジュールは、前記少なくとも１つのＲＦアンテナと前記少なくとも１つのマイクロコントローラにそれぞれ電気的に接続され、
前記マイクロコントローラは、受信したＲＦ情報を処理し、
前記磁気誘導レシーバモジュールは、前記少なくとも１つのマイクロコントローラに電気的に接続され、
前記マイクロコントローラは、前記磁界の変化情報を処理する
ことを特徴とするＲＦ装置。
【請求項２】
前記磁気誘導レシーバモジュールは、ソレノイドコイル、ホールデバイス、または磁気誘導スイッチである
ことを特徴とする請求項１記載のＲＦ装置。
【請求項３】
前記ＲＦトランシーバモジュール、前記ＲＦアンテナ、前記マイクロコントローラ、前記磁気誘導レシーバモジュールは、１つのカード筐体に統合されている
ことを特徴とする請求項１記載のＲＦ装置。
【請求項４】
前記磁気誘導レシーバモジュールの誘導距離は、規定範囲内にセットされている
ことを特徴とする請求項１から３のいずれか１項記載のＲＦ装置。
【請求項５】
前記磁気誘導レシーバモジュールが磁界を検知していないとき、前記ＲＦトランシーバモジュールと前記マイクロコントローラは休止状態にあり、
前記磁気誘導レシーバモジュールが磁界を検知しているとき、検出された磁界信号は電気信号に変換され、前記ＲＦトランシーバモジュールと前記マイクロコントローラが起動される
ことを特徴とする請求項１から３のいずれか１項記載のＲＦ装置。
【請求項６】
閾値または閾値範囲が前記磁気誘導レシーバモジュール内にあらかじめセットされ、
前記変換された電気信号が前記閾値または閾値範囲に合致したとき、前記ＲＦトランシーバモジュールと前記マイクロコントローラが起動され、合致しない場合は起動しない
ことを特徴とする請求項５記載のＲＦ装置。
【請求項７】
前記磁気誘導レシーバモジュール内にあらかじめセットされている前記閾値または閾値範囲は、調製可能である
ことを特徴とする請求項６記載のＲＦ装置。
【請求項８】
前記ＲＦ装置は、集積回路（ＩＣ）カード、ＳＤＩＯカード、ＳＤカード、ＭＭＣカード、装置のマザーボード、または装置筐体に直接統合されている
ことを特徴とする請求項１から３のいずれか１項記載のＲＦ装置。
【請求項９】
前記ＩＣカードはＳＩＭカードであることを特徴とする請求項８記載のＲＦ装置。
【請求項１０】
前記ＲＦ装置は、前記ＩＣカード、前記ＳＤＩＯカード、前記ＳＤカード、前記ＭＭＣカード、または前記マザーボード上のＣＰＵを、マイクロコントローラとして直接用いることができる
ことを特徴とする請求項８記載のＲＦ装置。
【請求項１１】
前記ＲＦ装置は、モバイル装置内または固定装置内に配置することができる
ことを特徴とする請求項１から３のいずれか１項記載のＲＦ装置。
【請求項１２】
前記モバイル装置は、携帯電話、携帯情報端末（ＰＤＡ）、またはラップトップコンピュータを備え、
前記固定装置は、パーソナルコンピュータ、工業用制御コンピュータ、自動現金預払機（ＡＴＭ）、またはアクセス制御端末を備える
ことを特徴とする請求項１１記載のＲＦ装置。
【請求項１３】
ＲＦカードリーダであって、
少なくとも１つのＲＦトランシーバモジュール、
少なくとも１つのＲＦアンテナ、
少なくとも１つのマイクロコントローラ、
を備え、
前記ＲＦトランシーバモジュールは、前記少なくとも１つのＲＦアンテナと前記少なくとも１つのマイクロコントローラそれぞれに電気的に接続され、
前記マイクロコントローラは、送信されたＲＦ情報を処理し、
前記ＲＦカードリーダはさらに、誘導磁界を生成し送信する少なくとも１つの磁気送信モジュールを備え、
前記磁気送信モジュールは、前記少なくとも１つのマイクロコントローラに電気的に接続され、
前記磁気送信モジュールは、前記マイクロコントローラからの指示情報に基づき磁界を送信することができる
ことを特徴とするＲＦカードリーダ。
【請求項１４】
前記磁気送信モジュールが送信する磁界は、非交流磁界である
ことを特徴とする請求項１３記載のＲＦカードリーダ。
【請求項１５】
前記磁気送信モジュールが送信する磁界は、非常に周波数が低い交流磁界である
ことを特徴とする請求項１３記載のＲＦカードリーダ。
【請求項１６】
前記交流磁界は、１００ＫＨｚ〜０．１ＫＨｚの周波数を有する
ことを特徴とする請求項１５記載のＲＦカードリーダ。
【請求項１７】
前記交流磁界は、３０ＫＨｚ〜１ＫＨｚの周波数を有する
ことを特徴とする請求項１５記載のＲＦカードリーダ。
【請求項１８】
前記交流磁界は、５０ＫＨｚ、３０ＫＨｚ、２０ＫＨｚ、１０ＫＨｚ、５ＫＨｚ、２ＫＨｚ、または１ＫＨｚの周波数を有する
ことを特徴とする請求項１５記載のＲＦカードリーダ。
【請求項１９】
前記磁気送信モジュールは、前記マイクロコントローラからの指示情報に基づき、振幅可変の磁界を送信する
ことを特徴とする請求項１３から１８のいずれか１項記載のＲＦカードリーダ。
【請求項２０】
前記磁気送信モジュールが送信する磁界は、磁界分布の変化が全くないかまたは非常に小さい磁界である
ことを特徴とする請求項１３から１８のいずれか１項記載のＲＦカードリーダ。
【請求項２１】
前記磁気送信モジュールの通信距離は、規定範囲内にセットされる
ことを特徴とする請求項１３から１８のいずれか１項記載のＲＦカードリーダ。
【請求項２２】
前記磁気送信モジュールは、前記指示情報を送信磁界に変調する
ことを特徴とする請求項１３から１８のいずれか１項記載のＲＦカードリーダ。
【請求項２３】
前記変調の変調モードは、ＯＮ−ＯＦＦキーイング方式または時間変調方式である
ことを特徴とする請求項２２記載のＲＦカードリーダ。
【請求項２４】
ＲＦ安全通信システムであって、
請求項１から１２のいずれか１項記載のＲＦ装置、
請求項１３から２３のいずれか１項記載のＲＦカードリーダ、
を備え、
距離制御が磁界を通じて実施され、
ＩＤ認証が磁界と無線を通じて実施され、
情報通信が前記ＲＦ装置と前記ＲＦカードリーダとの間の無線を通じて実施される
ことを特徴とするＲＦ安全通信システム。
【請求項２５】
磁界を検知し前記磁界の変化情報を検出することができる少なくとも１つの磁気誘導レシーバモジュールがＲＦ装置上で提供され、誘導磁界を生成し送信する少なくとも１つの磁気送信モジュールがＲＦカードリーダ上で提供される、ＲＦ安全通信方法であって、
ステップａ：前記ＲＦカードリーダ上の前記磁気送信モジュールが、あらかじめセットされた指示情報を磁界信号に変調し、その磁界信号を送信するステップ、
ステップｂ：前記ＲＦ装置上の前記磁気誘導レシーバモジュールが、前記磁気送信モジュールによって送信された磁界を受信したとき、前記指示情報を復調するステップ、
ステップｃ：前記ＲＦ装置が、前記復調によって得られた前記指示情報に基づき、ＲＦチャネルを介して、対応するＲＦ情報を前記ＲＦカードリーダへ送信するステップ、
ステップｄ：前記ＲＦカードリーダが、前記ＲＦチャネルによって受信された前記ＲＦ情報に基づきＩＤ認証を実施するステップ、
ステップｅ：前記ＩＤ認証が成功した場合は無線を介して前記ＲＦカードリーダと前記ＲＦ装置との間で情報通信を実施し、失敗した場合は何も動作を実施しないステップ、
を有することを特徴とするＲＦ安全通信方法。
【請求項２６】
前記磁気送信モジュールが送信する磁界は、非交流磁界である
ことを特徴とする請求項２５記載のＲＦ安全通信方法。
【請求項２７】
前記磁気送信モジュールが送信する磁界は、非常に周波数が低い交流磁界である
ことを特徴とする請求項２５記載のＲＦ安全通信方法。
【請求項２８】
前記交流磁界は、１００ＫＨｚ〜０．１ＫＨｚの周波数を有する
ことを特徴とする請求項２７記載のＲＦ安全通信方法。
【請求項２９】
前記交流磁界は、３０ＫＨｚ〜１ＫＨｚの周波数を有する
ことを特徴とする請求項２７記載のＲＦ安全通信方法。
【請求項３０】
前記交流磁界は、５０ＫＨｚ、３０ＫＨｚ、２０ＫＨｚ、１０ＫＨｚ、５ＫＨｚ、２ＫＨｚ、または１ＫＨｚの周波数を有する
ことを特徴とする請求項２７記載のＲＦ安全通信方法。
【請求項３１】
前記磁気送信モジュールは、前記あらかじめセットされた指示情報に基づき、振幅可変の磁界を送信する
ことを特徴とする請求項２５から３０のいずれか１項記載のＲＦ安全通信方法。
【請求項３２】
前記磁気送信モジュールが送信する磁界は、磁界分布の変化が全くないかまたは非常に小さい磁界である
ことを特徴とする請求項２５から３０のいずれか１項記載のＲＦ安全通信方法。
【請求項３３】
前記ステップａにおける前記変調の変調モードは、ＯＮ−ＯＦＦキーイング方式または時間変調方式である
ことを特徴とする請求項２５から３０のいずれか１項記載のＲＦ安全通信方法。
【請求項３４】
前記ステップｃにおいて、前記ＲＦ装置は、ＲＦチャネルを介して、復調によって得られた前記指示情報を前記ＲＦカードリーダに直接送信し、
前記ステップｅにおいて、前記ＲＦカードリーダが前記ＲＦチャネルから受信した前記ＲＦ装置からの前記指示情報が、前記あらかじめセットされた指示情報と同じである場合は、前記ＩＤ認証は成功し、そうでなければ前記ＩＤ認証は失敗する
ことを特徴とする請求項２５から３０のいずれか１項記載のＲＦ安全通信方法。
【請求項３５】
前記磁気送信モジュールの通信距離は、規定範囲内にセットされる
ことを特徴とする請求項２５から３０のいずれか１項記載のＲＦ安全通信方法。
【請求項３６】
前記磁気誘導レシーバモジュールの検知距離は、規定範囲内にセットされる
ことを特徴とする請求項２５から３０のいずれか１項記載のＲＦ安全通信方法。
【請求項３７】
前記磁気誘導レシーバモジュールが磁界を検知していないとき、前記ＲＦ装置上の他のモジュールは休止状態にあり、
前記磁気誘導レシーバモジュールが磁界を検知したとき、検知した磁界信号は電気信号に変換され、前記ＲＦ装置上の他のモジュールが起動される
ことを特徴とする請求項２５から３０のいずれか１項記載のＲＦ安全通信方法。
【請求項３８】
閾値または閾値範囲が前記磁気誘導レシーバモジュール内にあらかじめセットされ、
前記変換された電気信号が前記閾値または閾値範囲に合致したとき、前記ＲＦ装置上の他のモジュールが起動され、合致しなければ起動されない
ことを特徴とする請求項３７記載のＲＦ安全通信方法。
【請求項３９】
前記磁気誘導レシーバモジュール内にあらかじめセットされた前記閾値または閾値範囲は、調整可能である
ことを特徴とする請求項３８記載のＲＦ安全通信方法。
【発明の詳細な説明】
【技術分野】
【０００１】
本発明は、無線周波数（ＲＦ）端末とＲＦ通信装置との間で距離制御可能な短距離の安全なデータ通信を実施する装置、方法、およびシステムに関する。より具体的には、短距離ＲＦ通信装置（例えば、ＰＯＳ機器またはカードリーダ）と通信する短距離ＲＦ通信機能を有するＲＦ装置（例えばＲＦカード）またはＲＦ通信端末（例えば携帯電話、ＰＤＡ）を備えた距離制御通信装置、システム、および安全な通信方法に関する。
【背景技術】
【０００２】
今日、ＲＦ通信端末、特にＲＦカードは、一般的になっている。これにともない、モバイルまたは固定通信端末に短距離通信機能を設けることに対する要求は、次第に強くなっている。特に、携帯電話のようなモバイルＲＦ通信端末を用いることによる電子支払を実現する機能に対する要求は強い。今日においては、携帯電話の契約者識別モジュール（ＳＩＭ）カード（ＳＩＭカードとして知られている）にＲＦ機能を追加するか、または携帯電話のマザーボードに短距離通信モジュールを追加することにより、携帯電話の短距離通信を実現する方法が存在する。上記のような方法が登場することにより、携帯電話を、チャージ、消費、取引、ＩＤ認証などができるスーパースマート端末にすることができる。これは市場の活発な要求によく合致している。
【０００３】
携帯電話のＲＦ  ＳＩＭベースの短距離手段は、簡易で携帯電話を変更する必要がないという利点があるので、幅広く関心をもたれている。この手段において、ＲＦ  ＳＩＭにより、極超短波（ＵＨＦ）のような技術を用いて、ＲＦ  ＳＩＭカードが携帯電話の内部に組み込まれたとき、ＲＦ信号を携帯電話から送信することができる。これにより携帯電話は、既存の携帯電話の構造を変更することなく短距離通信機能を備えることができる。しかし、内部構造が異なる携帯電話は、ＲＦ信号の送信効率が非常に多様である。送信器能が強力な携帯電話のＲＦ  ＳＩＭカードは、ＲＦ通信距離が数メートルである。送信器能が弱い携帯電話のＲＦ  ＳＩＭカードは、ＲＦ通信距離が数十センチである。バスや地下鉄におけるスワープカードのようなモバイル支払アプリケーションにおいては、通信の安全を確保するため、一般に通信距離に関する厳密な制約がある。例えば、損失を生じさせるユーザが気づかないカードの誤スワープを避けるため、通信距離は１０ｃｍ以内に限定する必要がある。一方で、通信距離内の通信の信頼性を確保し、通信効率を向上させる必要がある。したがって、ＲＦ  ＳＩＭベースの携帯電話は、短距離通信機能を用いている間は、通信範囲を効率的に制御できることが望ましい。
【０００４】
既存のＲＦ通信技術において、距離制御可能な通信は、ＩＳＯ１４４４３規格に基づく非接触カード技術により実現することができる。同技術において、カードリーダは継続的に交流磁界送信信号およびエネルギーを送信する。カードがカードリーダに接近したとき、内部コイルはエネルギーを検出し、非接触カードの内部回路は動作することができる。一方で、内部の信号を復調し、カードとカードリーダとの間の通信を実現する。磁界エネルギーが距離に応じて著しく減衰するため、長距離送信することは難しい。そのため、上記技術を用いて距離制御可能通信を実現する。しかし実際には、上記技術はＳＩＭカードのような組込デバイスのＲＦカードに適用することが難しい。その理由は、ＳＩＭカードのような製品は比較的面積が小さく、携帯電話の内部に組み込まれるからである。これは、バッテリーその他の金属を含む構成部品が携帯電話内に存在し、交流磁界が渦電流を生成して急速に減衰し、カードリーダが照射した磁力エネルギーおよび信号が携帯電話を貫通してＲＦ  ＳＩＭカードと通信することができなくなることによる。この問題は、長年解決することができないでいる。例えば日本において、携帯電話を用いた電子支払は一般的である。しかし、特別に設計された携帯電話のみ、支払に必要な短距離通信を実施するために用いることができる。上記のようなモードにおけるモバイル支払を実施するための事業コストは、ＳＩＭカードを変更するのみによって実現するモバイル支払を実施するためのコストよりもずっと高い。ＩＳＯ１４４４３技術は、ＳＩＭカード上では実現することができない。これが、日本においてＳＩＭカードを変更するのみのモードが用いられない理由である。
【０００５】
中国特許出願第２００８１０１４２６２４．１号の発明は、モバイル端末のＲＦ通信距離を制御するシステムおよび方法を提案している。同方法はまず、テスト手順を通じて、無線制御端末上の無線モバイル端末の各タイプについて対応する近接場スペクトルを確立する。検出器アレイを利用して、現在の無線モバイル端末の磁界強度をマッチングアルゴリズムで近接場スペクトルと比較し、比較の合致度を取得する。得られた合致度は、あらかじめ無線制御端末内にセットされ、無線モバイル端末のタイプに対応する閾値と比較される。これにより、現在の無線モバイル端末と無線制御端末との間の距離が規定距離内にあるか否かを判定する。上記方法は、実験などの手法により、最初に各無線制御端末について近接場スペクトルを取得することを必要とする。これは較正と呼ばれ、手順に関する要件が厳密であり、比較的複雑である。さらに上記方法は、ＲＦ信号の強度に基づいており、ＲＦ信号の干渉に影響を受け易い。そのため、システムが干渉を遮断し除去しようとする場合は、複雑な手法を必要とする。
【発明の概要】
【課題を解決するための手段】
【０００６】
ＩＳＯ１４４４３および中国特許出願第２００８１０１４２６２４．１号の技術的欠点を除去するため、本発明は、ＲＦ装置、対応するＲＦカードリーダ、通信システム、および上記ＲＦ装置とＲＦカードリーダを利用するＲＦ安全通信方法を提案する。これらは、ＲＦ装置（特にデバイスに組み込まれたＲＦカード、例えばＲＦ  ＳＩＭカード）とＲＦカードリーダとの間の短距離通信の距離制御の課題のためのものである。上記通信システムは、磁界を用いることにより通信認証を実施し、通信距離および通信を送信した者のＩＤを確認する。その後、高周波ＲＦ信号は携帯電話の内部構造を貫通し高速データ交換を実現できるという特性を用いることにより、ＩＤ認証と通常通信を実施する。これにより、距離制御可能な短距離安全通信を実現する。上記システムは、ＲＦ装置を含むＲＦ通信端末（例えばＲＦ  ＳＩＭカードを有する携帯電話）とＲＦ通信装置（例えばカードリーダ）との間のデータ通信距離（すなわち取引距離）を、あらかじめ定めた範囲内で確実に制御することができる。
【０００７】
本発明は、少なくとも１つのＲＦトランシーバモジュール、少なくとも１つのＲＦアンテナ、少なくとも１つの磁気誘導レシーバモジュール、少なくとも１つのマイクロコントローラを備えるＲＦ装置を提供する。磁気誘導レシーバモジュールは、磁界を検知し、磁界の変化情報を検出することができる。ＲＦトランシーバモジュールは、少なくとも１つのＲＦアンテナおよび少なくとも１つのマイクロコントローラにそれぞれ電気的に接続されている。マイクロコントローラは、送受信するＲＦ情報を処理する。磁気誘導レシーバモジュールは、少なくとも１つのマイクロコントローラに電気的に接続されている。マイクロコントローラは、磁界の変化情報を処理する。
【０００８】
さらに、磁気誘導レシーバモジュールは、ソレノイドコイル、ホールデバイス、または磁気誘導スイッチで構成することができる。
【０００９】
さらに、ＲＦトランシーバモジュール、ＲＦアンテナ、マイクロコントローラ、磁気誘導レシーバモジュールは、１つのカード本体に統合されている。
【００１０】
さらに、磁気誘導レシーバモジュールの誘導距離は、所定範囲内にセットされる。
【００１１】
さらに、磁気誘導レシーバモジュールが磁界を検知しないとき、ＲＦトランシーバモジュールとマイクロコントローラ（ＲＦ装置上にその他のモジュールを含んでもよい）は、休止状態にある。磁気誘導レシーバモジュールが磁界を検知したとき、検出した磁界信号は電気信号に変換され、ＲＦトランシーバモジュールとマイクロコントローラが起動される（ＲＦ装置上のその他のモジュールを同時に起動してもよい）。
【００１２】
さらに、閾値または閾値範囲が磁気誘導レシーバモジュール内にあらかじめセットされる。変換された電気信号が閾値または閾値範囲に合致したとき、ＲＦトランシーバモジュールとマイクロコントローラが起動され（ＲＦ装置上のその他のモジュールを同時に起動してもよい）、そうでない場合は起動されない。
【００１３】
さらに、磁気誘導レシーバモジュール内にあらかじめセットされた閾値または閾値範囲は、調整することができる。
【００１４】
さらに、ＲＦ装置は、集積回路（ＩＣ）カード、ＳＤＩＯカード、ＳＤカード、ＭＭＣカード、装置のマザーボード、または装置筐体に直接統合することができる。すなわちＲＦ装置は、全体としてその他のカード（例えばＳＩＭカード）、マザーボード、または装置に統合することができる。
【００１５】
さらに、ＲＦ装置は、ＩＣカード、ＳＤＩＯカード、ＭＭＣカード、またはマザーボード上のＣＰＵを、マイクロコントローラとして直接用いることができる。
【００１６】
さらに、ＲＦ装置は、モバイル装置内または固定装置内に配置されている。モバイル装置は、携帯電話、携帯情報端末（ＰＤＡ）、またはラップトップコンピュータである。固定端末は、パーソナルコンピュータ、工業用制御コンピュータ、自動現金預払機（ＡＴＭ）、またはアクセス制御端末である。
【００１７】
上述の技術手段は、互いに組み合わせて、より望ましい技術手段を備えたＲＦ装置を形成することもできる。
【００１８】
本発明はさらに、少なくとも１つのＲＦトランシーバモジュール、少なくとも１つのＲＦアンテナ、少なくとも１つのマイクロコントローラを備えたＲＦカードリーダを提供する。ＲＦトランシーバモジュールは、少なくとも１つのＲＦアンテナと少なくとも１つのマイクロコントローラにそれぞれ電気的に接続されている。マイクロコントローラは、送受信するＲＦ情報を処理する。ＲＦカードリーダはさらに、誘導磁界を生成し送信する少なくとも１つの磁気送信モジュールを備える。磁気送信モジュールは、少なくとも１つのマイクロコントローラに電気的に接続されている。磁気送信モジュールは、マイクロコントローラからの指示情報に基づき磁界を送信することができる。
【００１９】
さらに、磁気送信モジュールが送信した磁界は、非交流磁界でもよい。
【００２０】
さらに、磁気送信モジュールが送信した磁界は、非常に低周波数の交流磁界でもよい。
【００２１】
さらに、交流磁界は１００ＫＨｚ〜０．１ＫＨｚの周波数を有するものでもよい。
【００２２】
さらに、交流磁界は３０ＫＨｚ〜１ＫＨｚの周波数を有するものでもよい。
【００２３】
さらに、交流磁界は５０ＫＨｚ、３０ＫＨｚ、２０ＫＨｚ、１０ＫＨｚ、５ＫＨｚ、２ＫＨｚ、または１ＫＨｚの周波数を有するものでもよい。
【００２４】
さらに、磁気送信モジュールは、マイクロコントローラからの指示情報に基づき振幅可変の磁界を送信する。
【００２５】
さらに、磁気送信モジュールが送信する磁界は、磁界分布の変化が全くないかまたは小さい磁界である。
【００２６】
さらに、磁気送信モジュールの送信距離は、あらかじめ定めた範囲内にセットされる。
【００２７】
さらに、磁気送信モジュールは、指示情報を送信磁界に変調する。
【００２８】
さらに、変調モードは、ＯＮ−ＯＦＦキーイング方式または時間変調方式である。
【００２９】
上述の技術手段は、互いに組み合わせて、より望ましい技術手段を備えたＲＦカードリーダを形成することもできる。
【００３０】
本発明はさらに、ＲＦ安全通信システムを提供する。同システムは、上述のＲＦ装置、上述のＲＦカードリーダを備える。距離制御は、磁界を通じて実施される。ＩＤ認証は、磁界と無線周波数を通じて実施される。情報通信は、ＲＦ装置とＲＦカードリーダとの間の無線通信を通じて実施される。
【００３１】
本発明はさらに、ＲＦ安全通信方法を提供する。同方法において、磁界を検知し磁界の変化情報を検出することができる少なくとも１つの磁気誘導レシーバモジュールが、ＲＦ装置上で提供される。誘導磁界を生成し送信する少なくとも１つの磁気送信モジュールがＲＦカードリーダ上で提供される。同方法は、以下のステップを有する。
【００３２】
ステップａ：ＲＦカードリーダ上の磁気送信モジュールは、あらかじめセットされた指示情報を磁界信号に変調し、その磁界信号を送信する。
【００３３】
ステップｂ：ＲＦ装置上の磁気誘導レシーバモジュールが磁気送信モジュールによって送信された磁界を受信すると、磁界内の指示情報が復調される。
【００３４】
ステップｃ：ＲＦ装置は、変調によって得られた指示情報に基づき、ＲＦチャネルを介して、対応するＲＦ情報をＲＦカードリーダへ送信する。
【００３５】
ステップｄ：ＲＦカードリーダは、ＲＦチャネルが受信したＲＦ情報に基づき、ＩＤ認証を実施する。
【００３６】
ステップｅ：ＩＤ認証が成功した場合、ＲＦカードリーダとＲＦ装置との間の無線通信を介して情報通信が実施される。そうでなければ、動作は実施されない。
【００３７】
さらに、磁気送信モジュールが送信した磁界は、非交流磁界でもよい。
【００３８】
さらに、磁気送信モジュールが送信した磁界は、非常に低周波数の交流磁界でもよい。
【００３９】
さらに、交流磁界は１００ＫＨｚ〜０．１ＫＨｚの周波数を有するものでもよい。
【００４０】
さらに、交流磁界は３０ＫＨｚ〜１ＫＨｚの周波数を有するものでもよい。
【００４１】
さらに、交流磁界は５０ＫＨｚ、３０ＫＨｚ、２０ＫＨｚ、１０ＫＨｚ、５ＫＨｚ、２ＫＨｚ、または１ＫＨｚの周波数を有するものでもよい。
【００４２】
さらに、磁気送信モジュールは、あらかじめセットされた指示情報に基づき振幅可変の磁界を送信する。
【００４３】
さらに、磁気送信モジュールが送信する磁界は、磁界分布の変化が全くないかまたは小さい磁界である。
【００４４】
さらに、ステップａにおいて、変調モードはＯＮ−ＯＦＦキーイング方式または時間変調方式である。
【００４５】
さらに、ステップｃにおいて、ＲＦ装置は、ＲＦチャネルを介して、変調によって得られた指示情報をＲＦカードリーダに直接送信する。ステップｅにおいて、ＲＦカードリーダがＲＦチャネルから受信したＲＦ装置からの指示情報があらかじめセットした指示情報と同じである場合はＩＤ認証が成功し、そうでなければＩＤ認証は失敗する。
【００４６】
さらに、磁気送信モジュールの通信距離は、規定範囲内にセットされる。
【００４７】
さらに、磁気誘導レシーバモジュールの検知範囲は、規定範囲内にセットされる。
【００４８】
さらに、磁気誘導レシーバモジュールが磁界を検知しないとき、ＲＦ装置上の他のモジュールは休止状態にある。磁気誘導レシーバモジュールが磁界を検知したとき、検出した磁界信号は電気信号に変換され、ＲＦ装置上の他のモジュールは起動する。
【００４９】
さらに、閾値または閾値範囲は、磁気誘導レシーバモジュール内にあらかじめセットされる。変換した電気信号が閾値または閾値範囲に合致したとき、ＲＦ装置上の他のモジュールは起動し、そうでなければ起動しない。
【００５０】
さらに、磁気誘導レシーバモジュール内にあらかじめセットされた閾値または閾値範囲は、調整することができる。
【００５１】
上述の技術手段は、互いに組み合わせ、より望ましい技術手段を備えたＲＦ安全通信方法を形成することができる。
【００５２】
従来技術における、ＲＦ装置（特に装置に組み込まれたＲＦカード、例えばＲＦ  ＳＩＭカード）とＲＦカードリーダとの間の短距離通信の距離制御の課題は、本発明の解決手段を用いることにより、克服することができる。本発明において、まず通信範囲は磁界を通じて制御される。さらにＩＤ認証は、磁界を通じて実施される。ＲＦカードとＲＦカードリーダとの間の無線通信を介して、確実な通信（例えば、ＩＤ認証、非接触電子取引）を実施することができる。
【００５３】
本発明の重要な望ましい技術手段として、本発明におけるＲＦカードリーダの磁気送信モジュールが送信する磁界は、非交流磁界である。
【００５４】
物理法則により、磁界エネルギーは距離が増えると急速に減衰する。さらに、磁界の特性は周辺環境に対する感度が比較的小さく、その特性は比較的安定し信頼性がある。しかし、交流磁界と磁界内の静磁場のような非交流磁界は、物体を通過する能力に関する特性が非常に異なる。
【００５５】
交流磁界の磁力線は常に変わるので、金属物体が磁界に接近しているとき、磁力線を横断する移動が必ず生じ、金属物体内に渦電流が形成され、磁界強度の損失が生じる。これにより、磁界の貫通能力が大きく減少する。上述のように、１３．５６ＭＨｚのＩＳＯ１４４４３技術を利用する非接触カードシステムは、交流磁界を用いる通信のみを実施する。しかし、ＲＦ  ＩＣカードが携帯電話のような端末内部に配置されたとき、携帯電話内の金属部品、モバイル端末の筐体金属部品などの影響により、カードリーダの磁気信号はこれら金属を貫通してＩＣカードとの通信を確立することが非常に困難である。上記のような状況は、金属筐体を有する携帯電話にとってはより深刻である。これは特に、交流磁界が中間周波数または高周波数の交流磁界である場合にあてはまる。例えば、１２５ＫＨｚ以上の交流磁界、またはＩＳＯ１４４４３技術における１３．５６ＭＨｚの交流磁界のような１ＭＨｚ以上の交流磁界である。磁気信号のうち装置の筐体を貫通するものがあったとしても、信号が不安定であるか、または通信用には弱すぎる場合もある。
【００５６】
静磁場のような非交流磁界については、磁力線は方向や位置があまり変化しない。金属物体が磁界に接近し静止しているとき、磁力線を横断する移動は生じず、金属物体内に渦電流は生じない。そのため、磁界は容易に金属を通過することができる。本発明のさらに進歩した技術手段において、非交流磁界の良好な貫通能力を利用して、距離制御可能な短距離安全通信を実現する。これにより、従来の電磁界通信と交流磁界通信では解決できなかった、信号通過と制御可能な通信距離に関する主要な技術課題を解決する。非交流磁界のデメリットは、実施可能な変調速度が高くないことである。例えば通信速度は１ＫＨｚに達しない。しかし、本発明のＲＦカードリーダは非常にわずかな量の情報コードをＲＦカードに送信するためのみにそれを用い、ＩＤを検証し、悪意の攻撃を回避する。そのため、上述の課題は本発明で説明するようにアプリケーションに影響しない。
【００５７】
本システムは、特性の異なる２つの通信チャネルがあることを特徴とする（例えばモバイル装置内に配置されたＲＦ  ＳＩＭカード）。
【００５８】
１）安定で距離制御可能、かつ非交流磁界を用いて実施した通信によって生成された低速１方向の第１チャネルを用いて、ＩＤ認証を実施するための少量の情報を送信し、悪意の干渉および攻撃を回避する。ＲＦカードリーダは、指示情報ルールに基づき磁気送信モジュールを制御し、磁界強度を変化させるが、磁界分布は全く変化しないかわずかに変化するのみとし、渦電流を回避する。これにより、磁界の貫通能力を向上させる。ＲＦ  ＳＩＭカード内の磁気誘導レシーバモジュールは、磁界強度の変化を検知し、変化情報を抽出することができる。そのため、ＲＦカードリーダとＲＦ  ＳＩＭカードとの間の１方向情報送信を実現することができる。この情報は、ＲＦカードリーダとＲＦ  ＳＩＭカードの通信のような主要通信のＩＤを検証するためのものである。
【００５９】
２）ＲＦトランシーバによって形成された高速な第２通信チャネルを用いて、ＩＤ認証を完了し、主要通信を実施する。ＲＦ信号高速通信を、ＲＦカードリーダとＲＦ  ＳＩＭカードとの間で、ＲＦトランシーバモジュールを直接介して実現することができる。ＲＦカードリーダとＲＦ  ＳＩＭカードとの間のＩＤ認証は、このＲＦ信号通信を通じて、磁気誘導により送信された情報を用いることにより実施される。これにより、通常通信が実施される。
【００６０】
磁界、特に非交流磁界は、距離増加にともないエネルギーが急速に減衰する。磁界特性は、周辺環境の影響を受けにくい。金属物体、導体、または人体が存在するか否かによらず、磁界エネルギーは固有のルールにしたがって確実に減衰する。したがって、上記のような磁界を用いて情報を短距離で送信すると、予測がし易く信頼性が高い。
【００６１】
非交流磁気変調短距離ＲＦ安全通信システムは、この磁界の特性に基づき、距離制御可能な短距離通信のみを実施する。非交流磁気変調短距離ＲＦ安全通信システムを用いて、磁気送信モジュールの最大照射強度と磁気誘導レシーバモジュールの受信感度をあらかじめセットし、最大誘導距離を目標距離にセットすることができる。例えば、以下の方法を用いて距離制御可能な安全通信を実現することができる。
【００６２】
１）磁気送信モジュールの磁界照射パワーと磁気誘導レシーバモジュールの受信感度をあらかじめセットし、最大誘導距離がセットした目標距離に達するようにする。例えば、１ｃｍ、２ｃｍ、５ｃｍ、１０ｃｍ、１５ｃｍ、２０ｃｍ、などである。
【００６３】
２）ＲＦカードリーダは、ルールに基づき磁気送信モジュールを制御し、磁界強度を変化させるが、磁界分布が大きく変わらないようにする。強度情報を含む情報Ａ１を、磁界強度の振幅へ変調する。ＲＦ  ＳＩＭカードは、磁界振幅変化を検知し、磁気誘導レシーバモジュールを通じて抽出情報Ａ２を取得する。
【００６４】
３）ＲＦ  ＳＩＭカードは、第１ＲＦトランシーバモジュールと第２ＲＦトランシーバモジュールによって構成されたＲＦチャネルを介して、情報Ａ２をＲＦカードリーダへ送信する。カードリーダは、ＲＦチャネルを介して情報Ａ３を受信し取得する。
【００６５】
４）ＲＦカードリーダは、受信した情報Ａ３を、磁気変調によって送信された元の情報Ａ１と比較する。これらが合致した場合、カードリーダ自身によってこの通信が開始され、正当であると判定される。また、磁界性能に基づき通信距離を長くできないという特性により、現在の通信距離があらかじめセットした範囲内にあると判定することができる。したがって、通常通信処理を実施することができる。
【００６６】
上述の方法において、情報Ａ１、Ａ２、Ａ３などは、それぞれ同一の情報であってもよいし、または所定の暗号鍵で暗号化された情報もしくは規定の処理モードによって処理された情報のような特別処理された情報であってもよい。これにより、通信の安全をより確実に保護することができる。
【００６７】
上述の距離制御方法内のステップ２）において、磁界分布を大きく変えることなくＲＦカードリーダが情報を磁界に変調するため、様々な方法を用いることができる。以下のような方法を用いることができる。
【００６８】
１）ＯＮ−ＯＦＦキーイング（ＯＯＫ）方式。これは簡易変調フォーマットであり、変調は信号ビットに基づき磁界信号ソースをＯＮまたはＯＦＦすることによって実施される。図３は、簡易磁気通信ＯＯＫ変調方式を示す概略図である。図３に示すように、ＲＦカードリーダには電磁デバイスとスイッチが設けられている。スイッチがＯＦＦになったとき、電磁デバイスが起動し、静磁場が生成される。スイッチがＯＮになったとき、磁界は消滅する。ＲＦ  ＳＩＭカードにはホールデバイスのような磁気誘導センサが設けられている。磁界が存在するとき、磁気センサはｈｉｇｈレベルを出力する。磁界が存在しないとき、磁気センサはｌｏｗレベルを出力する。スイッチをＯＮまたはＯＦＦする情報ビット「１」または「０」のシーケンスに続いて、磁界が生成されまたはＯＦＦされ、磁気誘導センサはビット「１」と「０」に対応して、ｈｉｇｈレベルとｌｏｗレベルをそれぞれ順次出力し、情報変調および通信を実現することができる。
【００６９】
２）時間変調方式。磁気送信器の通信時間を制御することにより、磁気誘導レシーバモジュールは受信した磁界信号を時間制御する。磁界内の異なる時間は異なるバイナリ値に対応する。例えば１０ｍｓは「１」に対応し、２０ｍｓは「０」に対応する。
【００７０】
３）他の変調方式には、マンチェスター符号化、パルス幅変調（ＰＷＭ）、パルス時間変調（ＰＰＭ）が含まれる。これらは通信システムにおいて一般に用いられており、詳細を説明する必要はないであろう。
【００７１】
距離制御の安全性を高めるため、上述の距離制御方法内のステップ３とステップ４において、情報Ａ２の送信時と受信時に暗号化モードを用い、不正な悪意ある攻撃を回避することができる。また、距離制御方法のステップ３において、ＲＦ  ＳＩＭカード自身の識別情報を情報Ａ２に追加し、ＲＦカードリーダへ送信して、双方向ＩＤ認証を実現することもできる。
【００７２】
ＲＦ  ＳＩＭカード上の磁気誘導レシーバモジュールの電力消費を抑えるため、非交流磁気変調短距離ＲＦ安全通信システムは、休止と周期的起動の方法により、ＲＦ  ＳＩＭカードの電力消費を減少させることができる。これは上述の段落で説明したものであり、詳細を説明する必要はないであろう。
【００７３】
ＲＦ  ＳＩＭカード内の磁気誘導レシーバモジュールは、第１ＲＦトランシーバモジュールに接続することもできる。第１ＲＦトランシーバモジュールは、信号処理機能を備える。トランシーバモジュールは、磁気誘導トランシーバモジュールから信号出力を検出および抽出し、その信号を第１マイクロコントローラへ送信することができる。
【００７４】
上記システムにおけるＲＦ  ＳＩＭカードを備えるモバイル通信端末は、短距離ＲＦ通信機能を有するモバイル通信端末でもよい。すなわち、第１ＲＦトランシーバモジュールをモバイル通信端末内に組み込み、ＲＦカードリーダとの短距離通信を実現することができる。
【００７５】
ＲＦ  ＳＩＭカード内の磁気誘導レシーバモジュールは、ソレノイドコイル、ホールデバイス、または磁気誘導スイッチであってもよい。
【００７６】
ＲＦ  ＳＩＭカード内の第１ＲＦトランシーバモジュールおよびＲＦカード内の第２トランシーバモジュールは、超高周波帯（ＳＨＦ）、超短波帯（ＶＨＦ）、または極超短波帯（ＵＨＦ）で動作することができる。
【００７７】
非交流磁気変調技術または交流磁気変調技術が用いられるか否かによらず、２つの通信チャネル（すなわち、磁界と無線）が用いられ、距離制御とＩＤ認証を実施するので、ＲＦ装置（特にデバイスに組み込まれたＲＦカード、例えばＲＦ  ＳＩＭカード）とＲＦカードリーダとの間の短距離通信における距離制御とＩＤ認証の課題は、従来技術と比較してより良好に解決される。
【００７８】
本発明のさらに向上した技術手段は、非交流磁気変調技術を用いる。交流磁気変調を用いる技術と比較すると、非交流磁気変調の技術効果は以下の通りである。非交流磁界が距離にともなって急速に減衰し、磁界は干渉の影響が少ないという特性を用いることにより、確実な距離制御を実現し、非交流磁気変調情報通信技術手段によりＩＤ検証を実施して悪意ある攻撃回避し、システム通信の頑健性を向上させ、より商業的価値の高いモバイル支払のような主要アプリケーションを実現する。非交流磁界変調通信は短距離であり、信頼性が高いという特性とともに、ＲＦ信号は広帯域で携帯電話端末を提供できることも組み合わせる。エネルギー送信および非交流磁界の誘導は、モバイル通信端末の全体構造との相関が小さいので、異なるモバイル通信端末におけるＲＦ信号の誘導信号強度の一貫性が保証される。これにより、特にＲＦ  ＳＩＭカードのようなＲＦ装置の効果的な促進および応用を促進することができる。
【００７９】
従来技術において用いられる交流磁界は、少なくとも１２５ＫＨｚ以上であり、同周波数より高周波の交流磁界が本発明に適用された場合、貫通効果は非常に低い。しかし実際には、非常に低い周波数（１００ＫＨｚ以下）の交流磁界により、ある程度の磁気貫通効果が得られる。そのため、非常に低い周波数の交流磁界を用いて、交流磁界に代えて通信することもできる。より良好な通信効果を得るためには、周波数が低いほどよいが、周波数が低すぎてもよくない。周波数が低すぎると通信速度が影響を受ける。例えば、周波数は０．１ＫＨｚ未満でないほうがよい。交流磁界の望ましい周波数として、８０ＫＨｚ、６０ＫＨｚ、５０ＫＨｚ、３０ＫＨｚ、２０ＫＨｚ、１０ＫＨｚ、５ＫＨｚ、２ＫＨｚ、１ＫＨｚ、０．５ＫＨｚ、０．３ＫＨｚなどの周波数を選択することができる。３０ＫＨｚ〜１ＫＨｚ、２０ＫＨｚ〜１ＫＨｚ、１０ＫＨｚ〜１ＫＨｚの周波数を選択すれば、良好な通信効果が得られる。
【００８０】
非交流磁界を用いる技術手段は、交流磁界または低変化周波数の交流磁界を用いる技術手段と比較して、通信において良好な効果を発揮する。非交流磁界を用いる技術手段は、容易に実装することができ、強力な磁界貫通パワーと良好な通信効果を有する。
【００８１】
本発明は、以下の図面と組み合わせて、特定の実施形態を通じてさらに説明される。
【図面の簡単な説明】
【００８２】
【図１】本発明に係るＲＦ  ＳＩＭカードの論理概略ブロック図である。
【図２】本発明に係るＲＦカードリーダの論理概略ブロック図である。
【図３】簡易磁気通信ＯＯＫ変調方式の概略図である。
【図４】本発明に係る距離制御システムの図である。
【図５】本発明に係る距離制御フロー図である。
【図６】本発明に係る、非常に低い周波数の交流磁界を用いることによって実施される通信を示す図である。
【発明を実施するための形態】
【００８３】
図１に示すように、ＲＦ  ＳＩＭカード１００が提供される。ＲＦ  ＳＩＭカード１００は、ＳＩＭカードメイン筐体１０５、第１ＲＦトランシーバモジュール１０１、第１ＲＦアンテナ１０２、第１マイクロコントローラ１０３を備える。第１ＲＦトランシーバモジュール１０１は、第１ＲＦアンテナ１０２と第１マイクロコントローラ１０３にそれぞれ電気的に接続されている。ＲＦ  ＳＩＭカード１００はさらに、磁気誘導レシーバモジュール１０４を備える。磁気誘導レシーバモジュール１０４は、第１マイクロコントローラ１０３に電気的に接続されている。
【００８４】
磁気誘導レシーバモジュール１０４は、従来技術におけるソレノイドコイル、ホールデバイス、または磁気誘導スイッチを用いるか、またはホール磁気センサを用いてアナログデジタル（Ａ／Ｄ）変換回路と協調動作させることにより、実現することができる。
【００８５】
図２に示すように、ＲＦカードリーダ２００が提供され、ＲＦ  ＳＩＭカード１００とともに用いることができる。ＲＦカードリーダ２００は、第２ＲＦトランシーバモジュール２０１、第２ＲＦアンテナ２０２、第２マイクロコントローラ２０３を備える。第２ＲＦトランシーバモジュール２０１は、第２ＲＦアンテナ２０２と第２マイクロコントローラ２０３にそれぞれ電気的に接続されている。ＲＦカードリーダ２００はさらに、誘導磁界を生成する磁気送信モジュール２０４を備える。磁気送信モジュール２０４は、第２マイクロコントローラ２０３に電気的に接続されている。
【００８６】
磁気送信モジュール２０４は、永久磁石、ＤＣ電磁石、または同様のデバイスを用いることにより実現することができる。低周波ＯＯＫ変調方式を通じて、強い磁界が１を表し弱い磁界がまたは無磁界が０を表すモードを用いることにより、デジタル信号が磁気誘導レシーバモジュール１０４へ送信され、磁気誘導レシーバモジュール１０４によってデジタル電気信号に変換され、第１マイクロコントローラ１０３に処理のため提供される。
【００８７】
ＲＦ  ＳＩＭカード１００がＲＦカードリーダ２００に接近したとき、磁気誘導レシーバモジュール１０４は、磁気送信モジュール２０４から生成され調整された磁界信号を検知する。磁界信号は、電気信号に変換され処理された後、ＲＦ  ＳＩＭカードの第１マイクロコントローラ１０３に送信される。第１マイクロコントローラ１０３は、磁界強度変化のルールを分析し、振幅などの変調情報を抽出する。これにより、ＲＦカードリーダ２００とＲＦ  ＳＩＭカード１００との間の情報送信を実現する。ＲＦカードリーダ２００とＲＦ  ＳＩＭカード１００はさらに、第１ＲＦトランシーバモジュール１０１と第２ＲＦトランシーバモジュール２０１を直接介したＲＦ信号通信を実現する。
【００８８】
実際の「第１マイクロコントローラ１０３が磁界強度変化のルールを分析し、振幅などの変調情報を抽出する」方法は、ＯＯＫ変調方式でもよい。すなわち、「０」「１」のバイナリ信号は、磁界の存在（または強度）を検出することによって判定し復元することができる。
【００８９】
図４と図５には、スマートＲＦカードとして機能するＲＦ  ＳＩＭカード１００とＲＦカードリーダ２００との間のＲＦ通信処理が、簡易的に記載されている。すなわち、本発明におけるＲＦ通信の非交流磁気誘導距離制御方法のための特定の制御フローである。
【００９０】
ステップ１：通常状態において、すなわちＲＦ  ＳＩＭカード１００がＲＦカードリーダ２００に接近していないとき、ＲＦ  ＳＩＭカードの第１ＲＦトランシーバモジュール１０１と第１マイクロコントローラ１０３は、休止状態にある。ＲＦ  ＳＩＭカード１００は、第１ＲＦトランシーバモジュールを介してデータを送信しまたは受信することができない状態にある。カード全体は電力消費が最も低い状態にある。
【００９１】
ステップ２：ＲＦ  ＳＩＭカード１００がＲＦカードリーダ２００に接近したとき、ＲＦ  ＳＩＭカード１００はＲＦカードリーダ１００の磁気送信モジュール２０４が生成した磁界内にある。ＲＦ  ＳＩＭカード１００の磁気誘導レシーバモジュール１０４は、磁気送信モジュール２０４からの磁界信号Ａ１を検知する。磁界信号は、ＯＯＫ変調信号または磁界送信時間を制御することによって変調された信号でもよい。
【００９２】
ステップ３：検知した磁界信号は、特定の電気信号Ａ２へ変換され処理される。電気信号Ａ２は、第１ＲＦトランシーバモジュール１０１を起動する（これに代えて、起動するか否かを、あらかじめ電気信号閾値をセットすることにより判定することもできる）。ＲＦ  ＳＩＭカード１００は、情報Ａ２を処理して情報Ａ３を形成する。情報Ａ３は、第１ＲＦトランシーバモジュールと第２トランシーバモジュールによって形成されたＲＦチャネルを介して、ＲＦカードリーダへ送信される。
【００９３】
ステップ４：ＲＦカードリーダは、受信した情報Ａ３を比較し認証する。磁界能力に基づき通信距離は長距離に達しないという特性により、この通信がＲＦカードリーダ自身によって開始されたと判定する場合は、この通信は通信距離要件を満たす正当なものであると判定することができる。通信が正当なものでない場合は、この通信は直接破棄される。
【００９４】
ステップ５：この通信が通信距離要件を満たす正当なものであると判定されたとき、ＲＦ通信データがＲＦ  ＳＩＭカード１００の第１ＲＦトランシーバモジュール１０１とＲＦカードリーダ２００の第２トランシーバモジュール２０１との間で交換され、処理される（第１ＲＦアンテナ１０２と第２ＲＦアンテナ２０２をそれぞれ介して）。
【００９５】
ステップ６：第１マイクロコントローラ１０３と第２マイクロコントローラ２０３は、通信データの処理を終了する。
【００９６】
この実施形態において、第１ＲＦトランシーバモジュール１０１が磁気誘導を通じて変換された電気信号によって起動するための閾値は、調整することができる。
【００９７】
電気信号は、閾値を起動する。閾値は、アナログ回路内の電圧値もしくは電流値、またはデジタル回路内のバイナリシーケンスコードでもよい。例えば、ＲＦ  ＳＩＭカード１００がデジタル回路内のバイナリコード「１００１１１０１」を起動閾値として用いる場合、ＲＦカードリーダ２００が磁気送信モジュールを介してバイナリコード「１００１１１０１」を変調および送信し、ＲＦ  ＳＩＭカード１００が信号「１００１１１０１」を検出および復調するときのみ、これら２つは接続とこれに続く通信プロセスを開始することができる。
【００９８】
ＲＦ  ＳＩＭカード１００内の第１ＲＦトランシーバモジュール１０１とＲＦカードリーダ２００内の第２ＲＦトランシーバモジュール２０１は、超高周波帯（ＳＨＦ）、超短波帯（ＶＨＦ）、または極超短波帯（ＵＨＦ）で動作することができる。
【００９９】
磁気誘導レシーバモジュール１０４が用いるソレノイドコイル、ホールデバイス、または磁気誘導スイッチのような装置、および磁気送信モジュール２０４が用いる永久磁石、ＤＣ電磁石は、全て共通する技術に属する。ホールデバイスは、ホール効果に基づき製造される磁界センサまたはコントローラである。
【０１００】
電磁信号を変換するプロセスは、磁気誘導レシーバモジュール１０４内で実施するか、または第１マイクロコントローラ１０３内で実施することができる。また、最も簡易な処理モードとして、ＯＯＫ復調方式を通じて実施することができる。すなわち、バイナリ信号「０」「１」は、磁界の存在を検出することによって判定し復元することができる。同プロセスは、時間変調方式によって実施することもできる。すなわち、磁気送信モジュールによって送信された磁界時間を識別することによってデコードを実施することができる。例えば、要件を満たし１０ｍｓ継続して受信される磁界信号は「１」を表し、要件を満たし２０ｍｓ継続して受信される磁界信号は「０」を表す。これらは従来技術であり、詳細を説明する必要はないであろう。
【０１０１】
図６は、ＯＯＫ変調方式を用いることによる低周波交流磁界通信を示す簡易例である。図６に示すように、ＲＦカードリーダには、低周波信号生成器、コイルアンテナ、スイッチが設けられている。スイッチがＯＦＦされたとき、低周波信号はコイル上で低周波交流磁界を生成する。スイッチがＯＮされたとき、低周波交流磁界は消去される。ＲＦ  ＳＩＭカードには、磁気誘導コイルと磁気誘導センサが設けられている。交流磁界が存在しているとき、磁気誘導コイルと磁気誘導センサは交流信号を出力する。交流磁界が存在していないとき、これらはｌｏｗレベルを出力する。スイッチをＯＮまたはＯＦＦする「１」または「０」の情報ビットのシーケンスに続いて、磁界が対応して生成されまたはＯＦＦされる。磁気誘導センサは、交流信号とｌｏｗレベル（信号なし）を順次出力することができる。したがって、フィルタとＯＯＫ復調回路を介して「１」「０」の情報ビットを復調し、これにより情報変調および送信を実現することができる。
【０１０２】
上述の説明は本発明の望ましい実施形態のみであり、本発明を限定するために用いられるものではない。本発明の要旨と原理の範囲内において、本発明の保護範囲内に含まれる任意の修正、等価置換、改善などを施すことができる。
【図１】
2013513837.tif 000003
【図２】
2013513837.tif 000004
【図３】
2013513837.tif 000005
【図４】
2013513837.tif 000006
【図５】
2013513837.tif 000007
【図６】
2013513837.tif 000008
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
ＲＦトランシーバモジュール、
ＲＦアンテナ、
磁界信号を検出するように構成された磁気モジュール、
前記磁界信号を処理するように構成されたマイクロコントローラ、
を備えることを特徴とするＲＦ装置。
【請求項２】
前記磁気モジュールは、コイル、ホールデバイス、または磁気誘導スイッチのうち１つを備える
ことを特徴とする請求項１記載のＲＦ装置。
【請求項３】
前記ＲＦトランシーバモジュール、前記ＲＦアンテナ、前記磁気モジュール、前記マイクロコントローラは、全て集積回路（ＩＣ）カード内に統合されている
ことを特徴とする請求項１記載のＲＦ装置。
【請求項４】
前記磁気モジュールは、所定の検出範囲を有することを特徴とする請求項１記載のＲＦ装置。
【請求項５】
前記磁気モジュールが磁界信号を検出していない場合は、前記ＲＦトランシーバモジュールと前記マイクロコントローラは休止状態にあり、
前記磁気信号が検出された場合は、前記磁気モジュールは検出された磁気信号を電気信号に変換し、前記ＲＦトランシーバモジュールと前記マイクロコントローラが起動される
ことを特徴とする請求項１記載のＲＦ装置。
【請求項６】
前記磁気モジュールは、前記電気信号と比較して前記ＲＦトランシーバモジュールと前記マイクロコントローラを起動すべきか否かを判定するための、所定の閾値を有する
ことを特徴とする請求項５記載のＲＦ装置。
【請求項７】
前記閾値は調整可能であることを特徴とする請求項６記載のＲＦ装置。
【請求項８】
前記ＲＦ装置は、集積回路（ＩＣ）カード、ＳＤＩＯカード、ＳＤカード、ＭＭＣカード、マザーボード、または装置筐体に直接統合されている
ことを特徴とする請求項１記載のＲＦ装置。
【請求項９】
前記ＩＣカードはＳＩＭカードであることを特徴とする請求項８記載のＲＦ装置。
【請求項１０】
前記マイクロコントローラは、ＩＣカード、ＳＤＩＯカード、ＳＤカード、ＭＭＣカード、またはマザーボードのプロセッサである
ことを特徴とする請求項１記載のＲＦ装置。
【請求項１１】
前記ＲＦ装置は、モバイル端末内または固定端末内に配置されている
ことを特徴とする請求項１記載のＲＦ装置。
【請求項１２】
前記モバイル端末は、携帯電話、携帯情報端末（ＰＤＡ）、またはラップトップコンピュータであり、
前記固定端末は、パーソナルコンピュータ、工業用制御コンピュータ、自動現金預払機（ＡＴＭ）、またはアクセス制御端末である
ことを特徴とする請求項１１記載のＲＦ装置。
【請求項１３】
ＲＦトランシーバモジュール、
ＲＦアンテナ、
磁界を生成し磁界信号を送信するように構成された磁気送信モジュール、
前記磁気送信モジュールを制御するように構成されたマイクロコントローラ、
を備えたことを特徴とするＲＦリーダ装置。
【請求項１４】
前記磁界は非交流磁界であることを特徴とする請求項１３記載のＲＦリーダ装置。
【請求項１５】
前記磁界は、低周波数交流磁界である
ことを特徴とする請求項１３記載のＲＦリーダ装置。
【請求項１６】
前記低周波数交流磁界は、約０．１ｋＨｚ〜１００ｋＨｚの周波数を有する
ことを特徴とする請求項１５記載のＲＦリーダ装置。
【請求項１７】
前記低周波数交流磁界は、約１ｋＨｚ〜３０ｋＨｚの周波数を有する
ことを特徴とする請求項１５記載のＲＦリーダ装置。
【請求項１８】
前記低周波数交流磁界は、約１ｋＨｚ、２ｋＨｚ、５ｋＨｚ、１０ｋＨｚ、２０ｋＨｚ、３０ｋＨｚ、または５０ｋＨｚの周波数を有する
ことを特徴とする請求項１５記載のＲＦリーダ装置。
【請求項１９】
前記磁気送信モジュールは、前記マイクロコントローラから指示されると、振幅可変の磁界を送信するように構成されている
ことを特徴とする請求項１３記載のＲＦリーダ装置。
【請求項２０】
前記磁界は、変化がわずかなまたは全く変化しない分布を有する
ことを特徴とする請求項１３記載のＲＦリーダ装置。
【請求項２１】
前記磁気送信モジュールは、所定の有効通信距離を有する
ことを特徴とする請求項１３記載のＲＦリーダ装置。
【請求項２２】
前記磁気送信モジュールは、指示情報を前記磁界信号に変調するように構成されている
ことを特徴とする請求項１３記載のＲＦリーダ装置。
【請求項２３】
前記磁気送信モジュールは、ＯＮ−ＯＦＦキーイング方式（ＯＯＫ）または時間変調方式を介して、指示情報を前記磁界信号へ変調するように構成されている
ことを特徴とする請求項２２記載のＲＦリーダ装置。
【請求項２４】
ＲＦ装置、
ＲＦカードリーダ、
を備え、
前記ＲＦ装置と前記ＲＦカードリーダは、磁界を通じて制御される通信距離を有し、ＲＦチャネルを通じて情報交換するように構成されている
ことを特徴とする通信システム。
【請求項２５】
前記ＲＦ装置と前記ＲＦカードリーダはさらに、前記磁界信号を通じて認証を実施するように構成されている
ことを特徴とする請求項２４記載の通信システム。
【請求項２６】
前記ＲＦ装置と前記ＲＦカードリーダはさらに、前記磁界信号と前記ＲＦチャネルの双方を通じて認証を実施するように構成されている
ことを特徴とする請求項２５記載の通信システム。
【請求項２７】
磁界を用いて２つの装置の間の通信距離を制御するステップ、
無線周波数（ＲＦ）通信を介して前記２つの装置の間で情報交換するステップ、
ことを特徴とする通信方法。
【請求項２８】
前記磁界を介して前記２つの装置のうち少なくとも１つを認証するステップを有する
ことを特徴とする請求項２７記載の通信方法。
【請求項２９】
前記磁界と前記ＲＦ通信の双方を介して前記２つの装置のうち少なくとも１つを認証するステップを有する
ことを特徴とする請求項２７記載の通信方法。
【請求項３０】
前記２つの装置は、
磁界信号を検出するように構成された磁気モジュールを備えるＲＦ装置、
誘導磁界を生成し送信する磁気送信モジュールを備えたＲＦリーダ装置、
を含み、
前記通信方法は、
前記磁気送信モジュールが、所定の指示情報を前記磁界信号に変調し、その磁界信号を送信するステップ、
前記磁気モジュールが、前記磁界信号を受信した後、前記指示情報をデコードするステップ、
前記ＲＦ装置が、前記デコードされた指示情報に基づき、ＲＦチャネルを介して、対応するＲＦ情報を前記ＲＦリーダ装置へ送信するステップ、
前記ＲＦリーダ装置が、前記ＲＦ情報に基づき認証を実施するステップ、
前記認証が成功した場合は前記ＲＦ装置と前記ＲＦリーダ装置との間で情報を交換するステップ、
を有することを特徴とする請求項２７記載の通信方法。
【請求項３１】
前記磁界は非交流磁界であることを特徴とする請求項２７記載の通信方法。
【請求項３２】
前記磁界は低周波数交流磁界であることを特徴とする請求項２７記載の通信方法。
【請求項３３】
前記低周波数交流磁界は、約０．１ｋＨｚ〜１００ｋＨｚの周波数を有する
ことを特徴とする請求項３２記載の通信方法。
【請求項３４】
前記低周波数交流磁界は、約１ｋＨｚ〜３０ｋＨｚの周波数を有する
ことを特徴とする請求項３２記載の通信方法。
【請求項３５】
前記低周波数交流磁界は、約１ｋＨｚ、２ｋＨｚ、５ｋＨｚ、１０ｋＨｚ、２０ｋＨｚ、３０ｋＨｚ、または５０ｋＨｚの周波数を有する
ことを特徴とする請求項３２記載の通信方法。
【請求項３６】
前記磁気送信モジュールは、前記あらかじめセットされた指示情報に基づき、振幅可変の磁界を送信する
ことを特徴とする請求項３０記載の通信方法。
【請求項３７】
前記磁界は、変化がわずかなまたは全く変化しない分布を有する
ことを特徴とする請求項３０記載の通信方法。
【請求項３８】
前記変調は、ＯＮ−ＯＦＦキーイング方式（ＯＯＫ）または時間変調方式を含む
ことを特徴とする請求項３０記載の通信方法。
【請求項３９】
前記ＲＦ装置は、前記ＲＦチャネルを介して、前記デコードされた指示情報を前記ＲＦリーダ装置に直接送信するように構成されており、
前記認証は、前記ＲＦリーダ装置が受信した前記指示情報が、前記あらかじめセットされた指示情報と同じである場合のみ成功する
ことを特徴とする請求項３０記載の通信方法。
【請求項４０】
前記磁気送信モジュールは、所定の有効通信距離を有する
ことを特徴とする請求項３０記載の通信方法。
【請求項４１】
前記磁気誘導レシーバモジュールは、所定の有効検出距離を有する
ことを特徴とする請求項３０記載の通信方法。
【請求項４２】
前記磁気モジュールが磁界を検知していない場合は、前記ＲＦ装置の他のモジュールは休止状態にあり、
前記磁モジュールが磁界を検知した場合は、前記磁気モジュールは検知した磁界信号を電気信号に変換し、前記ＲＦ装置の他のモジュールを起動する
ことを特徴とする請求項３０記載の通信方法。
【請求項４３】
前記磁気モジュールは、前記変換された電気信号と比較して前記ＲＦ装置の他のモジュールを起動するか否かを判定するための所定の閾値を有する
ことを特徴とする請求項４２記載の通信方法。
【請求項４４】
前記閾値は調整可能であることを特徴とする請求項４３記載の通信方法。
【国際調査報告】
2013513837.tif 000009
2013513837.tif 000010
2013513837.tif 000011
2013513837.tif 000012